【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
弾球遊技機全体の制御を司る主制御装置と、該主制御装置からの通知をもとに演出を実行するサブ制御装置とを備えた弾球遊技機であって、
前記主制御装置に、
始動口に遊技球が入球したことに起因して数値データを抽出する数値データ抽出手段と、
前記抽出された数値データを記憶する保留記憶手段と、
該保留記憶手段に記憶された前記数値データをもとに大当り遊技を発生させるか否かの大当り判定を行う大当り判定手段と、
該大当り判定手段による大当り判定が行われる前の前記数値データの内容を確認する数値データ確認手段と、
前記大当り判定手段による判定結果を示す特別図柄を表示させる特別図柄表示制御手段と、
を備え、
前記サブ制御装置に、
前記保留記憶手段に前記数値データが記憶されると、対応する保留標識を表示する保留標識表示手段と、
前記保留標識には、表示されたときの大当りとなる確率である信頼度が異なる複数の種類があり、前記数値データ確認手段による確認結果をもとに前記保留標識表示手段によって表示させる前記保留標識を前記複数の種類の中より決定する保留標識決定手段と、
前記保留標識表示手段によって表示された前記保留標識を、前記信頼度の異なる種類の保留標識に変化させる保留変化演出を実行する保留変化演出実行手段と、
を備えた弾球遊技機において、
前記サブ制御装置に、
前記保留変化演出実行手段によって前記保留変化演出が行われる前に、前記保留変化演出が行われることを示唆する前兆演出を表示する前兆演出表示手段と、
前記前兆演出の表示が開始されてから所定時間が経過しても前記保留変化演出が実行されない場合があり、前記前兆演出には、前記前兆演出の表示が開始されてから所定時間が経過した後に前記保留変化演出が実行される確率が異なる複数の種類があり、前記前兆演出表示手段によって表示される前記前兆演出を前記複数の種類の中より決定する前兆演出決定手段と、
前記前兆演出表示手段によって表示された前記前兆演出を、前記保留変化演出が実行される確率が異なる種類の前兆演出に変化させる前兆変化演出を実行する前兆変化演出実行手段と、を設け、
前記前兆変化演出実行手段は、前記前兆演出表示手段によって前記前兆演出の表示が開始されてから前記所定時間が経過したにも拘らず前記保留変化演出が実行されなかった場合に、当該表示された前兆演出よりも表示された際に前記保留変化演出が実行される確率が高い前記前兆演出に変化させ、
前記前兆演出が表示されると、当該前兆演出の対象となる前記保留標識を、前記信頼度の異なる種類の保留標識に変化可能であり、
前記前兆変化演出実行手段によって前兆演出が変化すると、変化した後の前兆演出の対象となる保留標識は、変化する前の前兆演出の対象となる保留標識とは異なること、
を特徴とする弾球遊技機。
【請求項２】
弾球遊技機全体の制御を司る主制御装置と、該主制御装置からの通知をもとに演出を実行するサブ制御装置とを備えた弾球遊技機であって、
前記主制御装置に、
始動口に遊技球が入球したことに起因して数値データを抽出する数値データ抽出手段と、
前記抽出された数値データを記憶する保留記憶手段と、
該保留記憶手段に記憶された前記数値データをもとに大当り遊技を発生させるか否かの大当り判定を行う大当り判定手段と、
該大当り判定手段による大当り判定が行われる前の前記数値データの内容を確認する数値データ確認手段と、
前記大当り判定手段による判定結果を示す特別図柄を表示させる特別図柄表示制御手段と、
を備え、
前記サブ制御装置に、
前記保留記憶手段に前記数値データが記憶されると、対応する保留標識を表示する保留標識表示手段と、
前記保留標識には、表示されたときの大当りとなる確率である信頼度が異なる複数の種類があり、前記数値データ確認手段による確認結果をもとに前記保留標識表示手段によって表示させる前記保留標識を前記複数の種類の中より決定する保留標識決定手段と、
前記保留標識表示手段によって表示された前記保留標識を、前記信頼度の異なる種類の保留標識に変化させる保留変化演出を実行する保留変化演出実行手段と、
を備えた弾球遊技機において、
前記サブ制御装置に、
前記保留変化演出実行手段によって前記保留変化演出が行われる前に、前記保留変化演出が行われることを示唆する前兆演出を表示する前兆演出表示手段と、
前記前兆演出の表示が開始されてから所定時間が経過しても前記保留変化演出が実行されない場合があり、前記前兆演出には、前記前兆演出の表示が開始されてから所定時間が経過した後に前記保留変化演出が実行される確率が異なる複数の種類があり、前記前兆演出表示手段によって表示される前記前兆演出を前記複数の種類の中より決定する前兆演出決定手段と、
前記前兆演出表示手段によって表示された前記前兆演出を、前記保留変化演出が実行される確率が異なる種類の前兆演出に変化させる前兆変化演出を実行する前兆変化演出実行手段と、を設け、
前記前兆変化演出実行手段は、前記前兆演出表示手段によって前記前兆演出の表示が開始されてから前記所定時間が経過した後で、前記保留変化演出が実行された場合に、当該表示された前兆演出よりも表示された際に前記保留変化演出が実行される確率が高い前記前兆演出に変化させること、
を特徴とする弾球遊技機。
【手続補正２】
【補正対象書類名】明細書
【補正対象項目名】０００８
【補正方法】変更
【補正の内容】
【０００８】
上記課題に鑑みてなされた請求項１または請求項２に記載の発明は、弾球遊技機全体の制御を司る主制御装置と、該主制御装置からの通知をもとに演出を実行するサブ制御装置とを備えた弾球遊技機であって、主制御装置に、始動口に遊技球が入球したことに起因して数値データを抽出する数値データ抽出手段と、抽出された数値データを記憶する保留記憶手段と、該保留記憶手段に記憶された数値データをもとに大当り遊技を発生させるか否かの大当り判定を行う大当り判定手段と、該大当り判定手段による大当り判定が行われる前の数値データの内容を確認する数値データ確認手段と、大当り判定手段による判定結果を示す特別図柄を表示させる特別図柄表示制御手段と、を備え、サブ制御装置に、保留記憶手段に数値データが記憶されると、対応する保留標識を表示する保留標識表示手段と、保留標識には、表示されたときの大当りとなる確率である信頼度が異なる複数の種類があり、数値データ確認手段による確認結果をもとに保留標識表示手段によって表示させる保留標識を複数の種類の中より決定する保留標識決定手段と、保留標識表示手段によって表示された保留標識を、信頼度の異なる種類の保留標識に変化させる保留変化演出を実行する保留変化演出実行手段と、を備えた弾球遊技機に関するものである。
【手続補正３】
【補正対象書類名】明細書
【補正対象項目名】００１４
【補正方法】変更
【補正の内容】
【００１４】
なお、請求項１に記載されているように、弾球遊技機では、前兆変化演出実行手段は、前兆演出表示手段によって前兆演出の表示が開始されてから所定時間が経過したにも拘らず保留変化演出が実行されなかった場合に、当該表示された前兆演出よりも表示された際に保留変化演出が実行される確率が高い前兆演出に変化させる、ようにしても良い。
【手続補正４】
【補正対象書類名】明細書
【補正対象項目名】００１７
【補正方法】変更
【補正の内容】
【００１７】
なお、請求項２に記載されているように、弾球遊技機では、前兆変化演出実行手段は、前兆演出表示手段によって前兆演出の表示が開始されてから所定時間が経過した後で、保留変化演出が実行された場合に、当該表示された前兆演出よりも表示された際に保留変化演出が実行される確率が高い前兆演出に変化させる、ようにしても良い。
【手続補正５】
【補正対象書類名】明細書
【補正対象項目名】００２０
【補正方法】変更
【補正の内容】
【００２０】
なお、請求項１に記載されているように、弾球遊技機では、前兆演出が表示されると、当該前兆演出の対象となる保留標識を、信頼度の異なる種類の保留標識に変化可能であり、前兆変化演出実行手段によって前兆演出が変化すると、変化した後の前兆演出の対象となる保留標識は、変化する前の前兆演出の対象となる保留標識とは異なる、ようにしても良い。